(57)【要約】【課題】マイコンが異常状態である場合にも、接続された回路の異常状態が引き起こす他回路の二次破壊や発煙発火などを防止することができる保護回路を提供すること。【解決手段】保護回路１０は、接続された電源回路２０が異常状態であることを示す異常信号を受信すると、第１保護信号を送信することによって、電源回路２０を保護状態に遷移させるマイコン１１を有する保護回路であって、マイコン１１の動作クロックが停止していることを示す信号を受信すると、第２保護信号を送信することによって、電源回路２０を保護状態に遷移させるマイコン保護部１２を有することを特徴とする。【選択図】図１
2008263723.tif 000002
【特許請求の範囲】
【請求項１】
各内部構成回路に電力を出力する電源回路と、
前記電源回路に接続され、前記電源回路が異常状態であることを示す信号を受信すると、第１保護信号を送信することによって、前記電源回路の異常状態に対応する保護動作を行うマイコンを有する保護回路と、
を有する電子機器であって、
前記保護回路は、前記マイコンの動作クロックが停止していることを示す信号を受信すると、第２保護信号を送信することによって、前記マイコンの動作クロック停止状態に対応する保護動作を行うマイコン保護部を有し、
前記第１保護信号及び前記第２保護信号は、同一の部分に対して送信される同一の信号であることを特徴とする電子機器。
【請求項２】
接続された回路が異常状態であることを示す信号を受信すると、第１保護信号を送信することによって、前記回路の異常状態に対応する保護動作を行うマイコンを有する保護回路であって、
前記マイコンが異常状態であることを示す信号を受信すると、第２保護信号を送信することによって、前記マイコンの異常状態に対応する保護動作を行うマイコン保護部を有することを特徴とする保護回路。
【請求項３】
前記マイコン保護部は、前記マイコンの動作クロックが停止していることを示す信号を受信すると、前記第２保護信号を送信することによって、前記マイコンの動作クロック停止状態に対応する保護動作を行うことを特徴とする請求項２に記載の保護回路。
【請求項４】
前記第１保護信号及び前記第２保護信号は、同一の部分に対して送信される同一の信号であることを特徴とする請求項２又は３に記載の保護回路。
【請求項５】
各内部構成回路に電力を出力する電源回路と、
前記電源回路に接続された請求項２から４のいずれか１項に記載の保護回路と、
を有することを特徴とする電子機器。
【発明の詳細な説明】
【技術分野】
【０００１】
本発明は、接続された回路が異常状態であることを示す信号を受信すると、保護信号を送信することによって、該回路の異常状態に対応する保護動作を行うマイコンを有する保護回路に関する。また、本発明は、そのような保護回路を有する電子機器に関する。
【背景技術】
【０００２】
テレビジョン受像機の電源回路や電力増幅回路などは、過電流が発生した状態などの異常状態となると、他回路の二次破壊や発煙発火などを引き起こすことがある。そのため、これらの回路は、接続された回路が異常状態であることを示す信号を受信すると、保護信号を送信することによって、該回路の異常状態に対応する保護動作を行うマイコンを有する保護回路に接続されるのが一般的であり、その例を特許文献１に見ることができる。
【０００３】
特許文献１には、フライバックトランスを有する電源回路と；該電源回路に接続され、該電源回路が短絡した状態であることを示す信号（フライバックトランスの出力電圧の低下）を受信すると、保護信号を送信することによって、該電源回路を切断するマイコンを有する保護回路と；を有することによって、該電源回路の短絡が引き起こす他回路の二次破壊や発煙発火などを防止するテレビジョン受像機が記載されている。
【特許文献１】特開平１０−２４３２５２号公報
【発明の開示】
【発明が解決しようとする課題】
【０００４】
ここで、特許文献１のテレビジョン受像機が有する保護回路においては、マイコンが、接続された電源回路が短絡した状態であることを示す信号（フライバックトランスの出力電圧の低下）を受信すると、保護信号を送信することによって、該電源回路を切断する。そのため、マイコンのコア電圧が部品のショート破壊などによって降下した場合など、マイコンが異常状態である場合には、接続された電源回路が短絡しても、該電源回路を切断することができず、該電源回路の短絡が引き起こす他回路の二次破壊や発煙発火などを防止することができないという問題点がある。
【０００５】
上記の問題点を鑑みて、本発明においては、マイコンが異常状態である場合にも、接続された回路の異常状態が引き起こす他回路の二次破壊や発煙発火などを防止することができる保護回路を提供することを目的とする。また、本発明の他の目的は、そのような保護回路を有する電子機器を提供することである。
【課題を解決するための手段】
【０００６】
本発明においては、電子機器は、各内部構成回路に電力を出力する電源回路と、前記電源回路に接続され、前記電源回路が異常状態であることを示す信号を受信すると、第１保護信号を送信することによって、前記電源回路の異常状態に対応する保護動作を行うマイコンを有する保護回路と、を有する電子機器であって、前記保護回路は、前記マイコンの動作クロックが停止していることを示す信号を受信すると、第２保護信号を送信することによって、前記マイコンの動作クロック停止状態に対応する保護動作を行うマイコン保護部を有し、前記第１保護信号及び前記第２保護信号は、同一の部分に対して送信される同一の信号であることを特徴とする。
【０００７】
また、本発明においては、保護回路は、接続された回路が異常状態であることを示す信号を受信すると、第１保護信号を送信することによって、前記回路の異常状態に対応する保護動作を行うマイコンを有する保護回路であって、前記マイコンが異常状態であることを示す信号を受信すると、第２保護信号を送信することによって、前記マイコンの異常状態に対応する保護動作を行うマイコン保護部を有することを特徴とする。
【０００８】
また、本発明においては、上記構成の保護回路において、前記マイコン保護部は、前記マイコンの動作クロックが停止していることを示す信号を受信すると、前記第２保護信号を送信することによって、前記マイコンの動作クロック停止状態に対応する保護動作を行うことが望ましい。
【０００９】
また、本発明においては、上記構成の保護回路において、前記第１保護信号及び前記第２保護信号は、同一の部分に対して送信される同一の信号であることが望ましい。
【００１０】
また、本発明においては、電子機器は、各内部構成回路に電力を出力する電源回路と、前記電源回路に接続された上記構成の保護回路と、を有することを特徴とする。
【発明の効果】
【００１１】
本発明の保護回路は、マイコンの異常状態に対応する保護動作を行うマイコン保護部を有する。したがって、接続された回路の異常状態に対応する保護動作をマイコンが行う保護回路において、マイコンのコア電圧が部品のショート破壊などによって降下した場合など、マイコンが異常状態である場合にも、接続された回路の異常状態が引き起こす他回路の二次破壊や発煙発火などを防止することができる。
【００１２】
また、本発明の保護回路は、マイコンの動作クロック停止状態に対応する保護動作を行うマイコン保護部を有する。したがって、接続された回路の異常状態に対応する保護動作をマイコンが行う保護回路において、マイコンのコア電圧が部品のショート破壊などによって降下した場合など、マイコンの動作クロックが停止している場合にも、接続された回路の異常状態が引き起こす他回路の二次破壊や発煙発火などを防止することができる。
【００１３】
そして、本発明の保護回路においては、接続された回路が異常状態である場合にマイコンが送信する第１保護信号及びマイコンが異常状態である場合にマイコン保護部が送信する第２保護信号は、同一の部分に対して送信される同一の信号である。したがって、接続された回路の異常状態に対応する保護動作をマイコンが行う保護回路において、接続された回路にポートなどの新たな構成要素を付加することなく、マイコンのコア電圧が部品のショート破壊などによって降下した場合など、マイコンが異常状態である場合にも、接続された回路の異常状態が引き起こす他回路の二次破壊や発煙発火などを防止することができる。
【発明を実施するための最良の形態】
【００１４】
本発明の実施形態について、図面を用いて説明すれば以下の通りである。
【００１５】
図１は、本発明の実施形態に係る電子機器１の概略の構成を示すブロック図である。電子機器１は保護回路１０と、電子機器１の各内部構成回路に電力を出力する電源回路２０（回路）とを有し、保護回路１０は、マイコン１１と、マイコン保護部１２とを有する。
【００１６】
マイコン１１は、マイコン１１の動作クロックをマイコン保護部１２のポートＰ１２ａへ送信するためのポートＰ１１ａと、第１保護信号を電源回路２０のポートＰ２０ａへ送信するためのポートＰ１１ｂとを有する。また、マイコン保護部１２は、第２保護信号を電源回路２０のポートＰ２０ａへ送信するためのポートＰ１２ｂを有する。そして、電源回路２０は、異常信号をマイコン１１のポートＰ１１ｃへ送信するためのポートＰ２０ｂを有する。
【００１７】
ここで、マイコン１１が、ポートＰ１１ｂより、電源回路２０のポートＰ２０ａへ送信する第１保護信号とは、電源回路２０を保護状態に遷移させる制御信号である。また、マイコン保護部１２が、ポートＰ１２ｂより、電源回路２０のポートＰ２０ａへ送信する第２保護信号とは、電源回路２０を保護状態に遷移させる制御信号である。そして、電源回路２０が、ポートＰ２０ｂより、マイコン１１のポートＰ１１ｃへ送信する異常信号とは、電源回路２０が異常状態であることを示す信号である。なお、電源回路２０の異常状態とは、回路短絡によって過電流が発生した状態などが挙げられる。
【００１８】
次に、電源回路２０が異常状態となった場合の動作の概略について説明する。電源回路２０は、異常状態となると、ポートＰ２０ｂより、電源回路２０が異常状態であることを示す異常信号をマイコン１１のポートＰ１１ｃへ送信する。そして、マイコン１１は、ポートＰ１１ｃより、電源回路２０が異常状態であることを示す異常信号を受信すると、ポートＰ１１ｂより、電源回路２０を保護状態に遷移させる制御信号である第１保護信号を電源回路２０のポートＰ２０ａへ送信することによって、電源回路２０を保護状態に遷移させる。
【００１９】
次に、マイコン１１の動作クロックが停止した場合の動作の概略について説明する。マイコン１１は、ポートＰ１１ａより、マイコン１１の動作クロックをマイコン保護部１２のポートＰ１２ａへ送信している。そのため、マイコン１１の動作クロックが停止した場合、マイコン保護部１２は、ポートＰ１２ａより、マイコン１１の動作クロックが停止していることを示す信号を受信することとなる。そして、マイコン保護部１２は、ポートＰ１２ａより、マイコンの動作クロックが停止していることを示す信号を受信すると、ポートＰ１２ｂより、電源回路２０を保護状態に遷移させる制御信号である第２保護信号を電源回路２０のポートＰ２０ａへ送信することによって、電源回路２０を保護状態に遷移させる。
【００２０】
上記の通り、電子機器１においては、マイコン１１の動作クロックが停止した場合に、マイコン保護部１２が第２保護信号を送信することによって、電源回路２０を保護状態に遷移させる。したがって、マイコン１１のコア電圧が部品のショート破壊などによって降下した場合など、マイコン１１の動作クロックが停止している場合にも、電源回路２０の異常状態が引き起こす他回路の二次破壊や発煙発火などを防止することができる。
【００２１】
また、電子機器１においては、マイコン１１がポートＰ１１ｂより送信する第１保護信号及びマイコン保護部１２がポートＰ１２ｂより送信する第２保護信号は、同一の部分（電源回路２０が有するポート２０ａ）に対して送信される。そのため、マイコン１１がポートＰ１１ｂより送信する第１保護信号及びマイコン保護部１２がポートＰ１２ｂより送信する第２保護信号を同一の信号とすると、マイコン１１の動作クロックが停止した場合に電源回路２０が遷移する保護状態は、電源回路２０が異常状態となった場合に電源回路２０が遷移する保護状態と同一の状態となるので、電源回路２０にポートなどの新たな構成要素を付加することなく、マイコン１１のコア電圧が部品のショート破壊などによって降下した場合など、マイコン１１の動作クロックが停止している場合にも、電源回路２０の異常状態が引き起こす他回路の二次破壊や発煙発火などを防止することができる。
【００２２】
次に、マイコン保護部１２を構成する回路の一例について説明する。図２は、マイコン保護部１２を構成する回路の一例を示す回路図である。なお、図２に示される回路によって構成されるマイコン保護部１２を有する電子機器１においては、マイコン１１は、ポートＰ１１ｃより、電源回路２０が異常状態であることを示す異常信号を受信すると、ポートＰ１１ｂより、電源回路２０を保護状態に遷移させる制御信号である第１保護信号として、ローレベルの信号を電源回路２０のポートＰ２０ａへ送信することによって、電源回路２０を保護状態に遷移させるものとする。
【００２３】
図２に示されるマイコン保護部１２においては、ポートＰ１２ａは直流電源Ｖ１１と、抵抗Ｒ１１の一端とに接続され、抵抗Ｒ１１の他端はダイオードＤ１１のアノードに接続されている。そして、ダイオードＤ１１のカソードは、一端が接地されたコンデンサＣ１１の他端と、抵抗Ｒ１２の一端とに接続され、抵抗Ｒ１２の他端はトランジスタＱ１１（ｎｐｎ形）のベースに接続されている。
【００２４】
また、トランジスタＱ１１のエミッタは接地され、コレクタはトランジスタＱ１２（ｎｐｎ形）のベースと、抵抗Ｒ１３の一端とに接続されている。そして、抵抗Ｒ１３の他端は、直流電源Ｖ１２を介して、一端がトランジスタＱ１２のコレクタに接続されている抵抗Ｒ１４の他端に接続され、トランジスタＱ１２のコレクタと、抵抗Ｒ１４とはポートＰ１２ｂに接続され、トランジスタＱ１２のエミッタは接地されている。
【００２５】
ここで、まず、マイコン１１の動作クロックが正常に動作している場合の、マイコン保護部１２の動作の概略について説明する。この場合、マイコン保護部１２は、ポートＰ１２ａより、マイコン１１の動作クロックが正常に動作していることを示す信号として、マイコン１１の動作クロックを受信することとなる。そのため、トランジスタＱ１１のベース電圧が高くなることによってトランジスタＱ１１がオン状態となり、その結果トランジスタＱ１２がオフ状態となることから、マイコン保護部１２は、ポートＰ１２ｂより、ハイレベルの信号を電源回路２０のポートＰ２０ａへ送信することとなる。
【００２６】
次に、マイコン１１の動作クロックが停止した場合の、マイコン保護部１２の動作の概略について説明する。この場合、マイコン保護部１２は、ポートＰ１２ａより、マイコン１１の動作クロックが停止していることを示す信号として、ローレベルの信号を受信することとなる。そのため、トランジスタＱ１１のベース電圧が低下することによってトランジスタＱ１１がオフ状態となり、その結果トランジスタＱ１２がオン状態となることから、マイコン保護部１２は、ポートＰ１２ｂより、ローレベルの信号を電源回路２０のポートＰ２０ａへ送信することとなる。
【００２７】
図２に示される回路によって構成されるマイコン保護部１２は、マイコン１１の動作クロックが停止した場合に、ポートＰ１２ｂより、ローレベルの信号を電源回路２０のポートＰ２０ａへ送信することによって、電源回路２０を保護状態に遷移させる。したがって、マイコン１１のコア電圧が部品のショート破壊などによって降下した場合など、マイコン１１の動作クロックが停止している場合にも、電源回路２０の異常状態が引き起こす他回路の二次破壊や発煙発火などを防止することができる。
【００２８】
また、図２に示される回路によって構成されるマイコン１２を有する電子機器１においては、マイコン１１がポートＰ１１ｂより送信する第１保護信号及びマイコン保護部１２がポートＰ１２ｂより送信する第２保護信号は、同一の部分（電源回路２０が有するポート２０ａ）に対して送信される同一の信号（ローレベルの信号）である。そのため、マイコン１１の動作クロックが停止した場合に電源回路２０が遷移する保護状態は、電源回路２０が異常状態となった場合に電源回路２０が遷移する保護状態と同一の状態となるので、電源回路２０にポートなどの新たな構成要素を付加することなく、マイコン１１のコア電圧が部品のショート破壊などによって降下した場合など、マイコン１１の動作クロックが停止している場合にも、電源回路２０の異常状態が引き起こす他回路の二次破壊や発煙発火などを防止することができる。
【００２９】
なお、本発明は上記の実施形態に限定されず、本発明の主旨を逸脱しない範囲で種々の変更が可能である。例えば、マイコン保護部１２を構成する回路は、図２に示されるものに限定されるものではない。
【産業上の利用可能性】
【００３０】
本発明は、接続された回路が異常状態であることを示す信号を受信すると、保護信号を送信することによって、該回路の異常状態に対応する保護動作を行うマイコンを有する保護回路として有効である。また、本発明は、そのような保護回路を有する電子機器として有効である。
【図面の簡単な説明】
【００３１】
【図１】電子機器１の概略の構成を示すブロック図。
【図２】マイコン保護部１２を構成する回路の一例を示す回路図。
【符号の説明】
【００３２】
１      電子機器
１０    保護回路
１１    マイコン
１２    マイコン保護部
２０    電源回路（回路）
【図１】
2008263723.tif 000003
【図２】
2008263723.tif 000004